(57)【要約】  【課題】  上床版と下床版とこれらを連結する左右１対の波形鋼板ウェブとにより、橋軸方向に延びる箱桁部が形成されてなる波形鋼板ウェブ橋において、上床版の幅員が大きくなった場合においても、主桁重量の増大を最小限に抑えた上で所要の強度を確保する。  【解決手段】  上床版１２の形成を、橋軸直交方向に延びる複数のプレキャストリブ２２を橋軸方向に所定間隔をおいて配置するとともに、これら各プレキャストリブ２２相互間に複数のプレキャスト板２４を架け渡した状態で、その上にコンクリートを打設することにより行う。そして、箱桁部２０の内部空間における各プレキャストリブ２２を含む橋軸直交断面内に、上端部がプレキャストリブ２２に連結されるとともに下端部が下床版１４に連結された３本のストラット４０Ａ、４０Ｂを設けることにより、所要の強度を確保し、これにより従来のような波形鋼板ウェブの追加配置を不要とする。  【選択図】          図１
2006322182.tif 000002
【特許請求の範囲】
【請求項１】
上床版と下床版とこれらを連結する左右１対の波形鋼板ウェブとにより、橋軸方向に延びる箱桁部が形成されてなる波形鋼板ウェブ橋において、
上記上床版が、橋軸直交方向に延びる複数のプレキャストリブを橋軸方向に所定間隔をおいて配置するとともに、これら各プレキャストリブ相互間に複数のプレキャスト板を架け渡した状態で、これらプレキャスト板の上にコンクリートを打設することにより形成されており、
上記箱桁部の内部空間における上記各プレキャストリブを含む橋軸直交断面内に、上端部が上記プレキャストリブに連結されるとともに下端部が上記下床版に連結された複数のストラットが設けられている、ことを特徴とする波形鋼板ウェブ橋。
【請求項２】
上記複数のストラットとして、上端部が上記箱桁部における橋軸直交方向中央部において上記プレキャストリブに連結されるとともに、下端部が上記下床版における上記波形鋼板ウェブとの連結部近傍部位に連結された１対のストラットを備えている、ことを特徴とする請求項１記載の波形鋼板ウェブ橋。
【請求項３】
上記複数のストラットとして、上端部が上記箱桁部の橋軸直交方向中央部において上記プレキャストリブに連結されるとともに、下端部が上記箱桁部の橋軸直交方向中央部において上記下床版に連結されたストラットを備えている、ことを特徴とする請求項２記載の波形鋼板ウェブ橋。
【請求項４】
上記各プレキャストリブが、上記箱桁部の橋軸直交方向中央部において２分割されている、ことを特徴とする請求項２または３記載の波形鋼板ウェブ橋。
【請求項５】
上記下床版の上面における上記各プレキャストリブを含む橋軸直交断面内に、橋軸直交方向に延びるリブ状突起部が形成されている、ことを特徴とする請求項１〜４いずれか記載の波形鋼板ウェブ橋。
【請求項６】
上記各波形鋼板ウェブの上端部に、上記複数のプレキャストリブを設置するための複数の切欠き部が形成されている、ことを特徴とする請求項１〜５いずれか記載の波形鋼板ウェブ橋。
【請求項７】
上記各切欠き部の底辺部に、上記プレキャストリブを載置するためのプレートが取り付けられている、ことを特徴とする請求項６記載の波形鋼板ウェブ橋。
【発明の詳細な説明】
【技術分野】
【０００１】
本願発明は、上床版と下床版とこれらを連結する左右１対の波形鋼板ウェブとにより、橋軸方向に延びる箱桁部が形成されてなる波形鋼板ウェブ橋に関するものである。
【背景技術】
【０００２】
波形鋼板ウェブ橋は、主桁重量を軽減することができるとともに施工の合理化や省力化を図ることができることから、近年、多く採用されるようになってきている。
【０００３】
この波形鋼板ウェブ橋は、上床版と下床版とこれらを連結する左右１対の波形鋼板ウェブとにより、橋軸方向に延びる箱桁部が形成された構成となっているが、その際「特許文献１」には、上床版の構成要素として複数のプレキャストリブが用いられた波形鋼板ウェブ橋が記載されている。
【０００４】
すなわち、この「特許文献１」に記載された波形鋼板ウェブ橋の上床版は、橋軸直交方向に延びる複数のプレキャストリブを橋軸方向に所定間隔をおいて配置するとともに、これら各プレキャストリブ相互間に複数のプレキャスト板を架け渡した状態で、これらプレキャスト板の上にコンクリートを打設することにより形成されるようになっている。
【０００５】
【特許文献１】特開２００４−１１６０６０号公報
【発明の開示】
【発明が解決しようとする課題】
【０００６】
このような波形鋼板ウェブ橋において、その上床版の幅員が大きくなった場合には、これに伴って箱桁部の左右幅も大きくなる。このような場合には、上記「特許文献１」にも記載されているように、箱桁部の橋軸直交方向中央部に波形鋼板ウェブが追加配置された構成とすれば、所要の強度を確保することが可能となる。
【０００７】
しかしながら、このように波形鋼板ウェブを追加配置した場合には、主桁の重量がその分だけ増大してしまい、主桁重量を軽減することができるという波形鋼板ウェブ橋の利点が減殺されてしまう、という問題がある。
【０００８】
本願発明は、このような事情に鑑みてなされたものであって、上床版の幅員が大きくなった場合においても、主桁重量の増大を最小限に抑えた上で所要の強度を確保することができる波形鋼板ウェブ橋を提供することを目的とするものである。
【課題を解決するための手段】
【０００９】
本願発明は、箱桁部の内部空間に複数のストラットを所定の配置で設けることにより、上記目的達成を図るようにしたものである。
【００１０】
すなわち、本願発明に係る波形鋼板ウェブ橋は、
上床版と下床版とこれらを連結する左右１対の波形鋼板ウェブとにより、橋軸方向に延びる箱桁部が形成されてなる波形鋼板ウェブ橋において、
上記上床版が、橋軸直交方向に延びる複数のプレキャストリブを橋軸方向に所定間隔をおいて配置するとともに、これら各プレキャストリブ相互間に複数のプレキャスト板を架け渡した状態で、これらプレキャスト板の上にコンクリートを打設することにより形成されており、
上記箱桁部の内部空間における上記各プレキャストリブを含む橋軸直交断面内に、上端部が上記プレキャストリブに連結されるとともに下端部が上記下床版に連結された複数のストラットが設けられている、ことを特徴とするものである。
【００１１】
上記各「プレキャストリブ」は、その全長にわたって単一部材で構成されたものであってもよいし、複数の部分に分割されたものであってもよい。
【００１２】
上記各「ストラット」は、各プレキャストリブを含む橋軸直交断面内において、上端部がプレキャストリブに連結されるとともに下端部が下床版に連結されたものであれば、その材質や断面形状等の具体的構成は特に限定されるものではない。また、これら各「ストラット」のプレキャストリブおよび下床版への具体的な連結位置についても特に限定されるものではない。
【００１３】
なお、本願発明に係る波形鋼板ウェブ橋を架設する際の具体的な架設方法は特に限定されるものではなく、例えば、張出し架設方法や押出し架設方法等が採用可能である。
【発明の効果】
【００１４】
上記構成に示すように、本願発明に係る波形鋼板ウェブ橋は、上床版と下床版とこれらを連結する左右１対の波形鋼板ウェブとにより、橋軸方向に延びる箱桁部が形成された構成となっているが、その上床版は、橋軸直交方向に延びる複数のプレキャストリブを橋軸方向に所定間隔をおいて配置するとともに、これら各プレキャストリブ相互間に複数のプレキャスト板を架け渡した状態で、これらプレキャスト板の上にコンクリートを打設することにより形成されるようになっているので、複雑な型枠を用いることなく上床版の施工を行うことができ、これにより架設作業性向上を図ることができる。
【００１５】
その上で、本願発明に係る波形鋼板ウェブ橋においては、その箱桁部の内部空間における各プレキャストリブを含む橋軸直交断面内に、上端部がプレキャストリブに連結されるとともに下端部が下床版に連結された複数のストラットが設けられているので、箱桁部の左右幅がある程度大きくなっても所要の強度を確保することができる。そしてこれにより、従来のように箱桁部の橋軸直交方向中央部に波形鋼板ウェブを追加配置するようにした場合に比して、主桁重量を大幅に軽減することができる。
【００１６】
このように本願発明によれば、波形鋼板ウェブ橋において、上床版の幅員が大きくなった場合においても、主桁重量の増大を最小限に抑えた上で所要の強度を確保することができる。
【００１７】
上記構成において、各プレキャストリブを含む橋軸直交断面内に配置される複数のストラットとして、上端部が箱桁部における橋軸直交方向中央部においてプレキャストリブに連結されるとともに、下端部が下床版における波形鋼板ウェブとの連結部近傍部位に連結された１対のストラットを備えた構成とすれば、各プレキャストリブを含む橋軸直交断面内にトラス構造を形成することができ、これにより所要の強度を容易に確保することができる。
【００１８】
その際、上記複数のストラットとして、さらに、上端部が箱桁部の橋軸直交方向中央部においてプレキャストリブに連結されるとともに、下端部が箱桁部の橋軸直交方向中央部において下床版に連結されたストラットを備えた構成とすれば、より一層の強度向上を図ることができる。
【００１９】
そして、このような構成を採用することにより、各プレキャストリブが箱桁部の橋軸直交方向中央部において２分割された構成となっている場合においても、該プレキャストリブを含む橋軸直交断面内に配置された複数のストラットの上端部により、２分割されたプレキャストリブをその分割部分において支持することができる。
【００２０】
上記構成において、下床版の上面における各プレキャストリブを含む橋軸直交断面内に、橋軸直交方向に延びるリブ状突起部が形成された構成とすれば、各ストラットに対する支持強度を十分に確保することができる。
【００２１】
また上記構成において、各波形鋼板ウェブの上端部に、複数のプレキャストリブを設置するための複数の切欠き部が形成された構成とすれば、次のような作用効果を得ることができる。
【００２２】
すなわち、各プレキャストリブを左右１対の波形鋼板ウェブに対してその切欠き部に挿入して設置することにより、これら各プレキャストリブを位置決めした状態で、プレキャスト板の架け渡しおよびコンクリート打設を行うことができる。またこれにより、各波形鋼板ウェブを上床版に対して埋め込み接合することができるので、従来のように各波形鋼板ウェブの上端部に鋼フランジを溶接固定しておく必要をなくすことができ、これにより各波形鋼板ウェブを軽量化することができる。
【００２３】
その際、各切欠き部の底辺部にプレキャストリブを載置するためのプレートが取り付けられた構成とすれば、各プレキャストリブの設置を正確かつ安定的に行うことができる。
【発明を実施するための最良の形態】
【００２４】
以下、図面を用いて、本願発明の実施の形態について説明する。
【００２５】
図１は、本願発明の一実施形態に係る波形鋼板ウェブ橋１０を示す橋軸直交断面図である。また、図２は、図１の部分拡大図であり、図３は、図２のIII-III 線断面図である。さらに、図４は、この波形鋼板ウェブ橋１０を構成する複数種類のプレキャスト部材を分解して示す図である。
【００２６】
これらの図に示すように、この波形鋼板ウェブ橋１０は、上床版１２と下床版１４とこれらを連結する左右１対の波形鋼板ウェブ１６とにより橋軸方向に延びる箱桁部２０が形成されてなり、上床版１２が箱桁部２０から橋軸直交方向両側へ張り出すように形成されている。箱桁部２０は、横長逆台形状の断面形状を有しており、その左右幅は上端部において１０ｍ程度の値に設定されている。
【００２７】
上床版１２は、橋軸方向に所定間隔（例えば２．４ｍ程度の等間隔）をおいて配置された橋軸直交方向に延びる複数のプレキャストリブ２２と、これら各プレキャストリブ２２相互間に架け渡された複数のプレキャスト板２４と、これらプレキャスト板２４の上に打設された場所打ちコンクリート２６とで構成されている。
【００２８】
その際、各プレキャストリブ２２は、上床版１２の全幅にわたって延びるように形成されており、その上面にはプレキャスト板２４を載置する際のストッパとなるリブ状突起部２２ａが形成されている。
【００２９】
また、場所打ちコンクリート２６は、その箱桁部２０の橋軸直交方向両端部に位置する部分が、下方へ突出する下方突出部２６ａとして形成されており、その内側には、橋軸方向に延びる外ケーブル５２を定着するための定着用ブロック２６ｂが形成されている。そして、各プレキャストリブ２２には、外ケーブル５２を挿通させるための挿通孔（図示せず）が形成されている。
【００３０】
下床版１４は、場所打ちコンクリートで構成された本体部３２と、この本体部３２の両側部に位置するコンクリートフランジ部３４とからなり、その本体部３２の上面における各プレキャストリブ２２を含む橋軸直交断面内には、橋軸直交方向に延びる複数のリブ状突起部３２ａが形成されている。
【００３１】
各波形鋼板ウェブ１６は、橋軸方向に延びる鉛直面に対して橋軸直交方向外側へ傾斜するようにして配置されており、その下端部は上記各コンクリートフランジ部３４に埋め込み接合されている。一方、これら各波形鋼板ウェブ１６の上端部は、場所打ちコンクリート２６の各下方突出部２６ａに埋め込み接合されている。
【００３２】
箱桁部２０の内部空間における各プレキャストリブ２２を含む橋軸直交断面内には、上端部がプレキャストリブ２２に連結されるとともに下端部が下床版１４に連結された３本のストラット４０Ａ、４０Ｂが設けられている。これら各ストラット４０Ａ、４０Ｂは、いずれも断面矩形状のプレキャスト部材として構成されている。
【００３３】
これら３本のストラット４０Ａ、４０Ｂのうち、２本のストラット４０Ａは、その上端部が箱桁部２０の橋軸直交方向中央部においてプレキャストリブ２２に連結されるとともに、その下端部が下床版１４における波形鋼板ウェブ１６との連結部近傍部位に連結されており、残り１本のストラット４０Ｂは、その上端部が箱桁部２０の橋軸直交方向中央部においてプレキャストリブ２２に連結されるとともに、下端部が箱桁部２０の橋軸直交方向中央部において下床版１４に連結されている。
【００３４】
その際、各ストラット４０Ａの上端部は、プレキャストリブ２２の下面に打設された場所打ちコンクリートブロック４２を介してプレキャストリブ２２に連結されており、その下端部は、下床版１４の本体部３２におけるリブ状突起部３２ａの上面に打設された場所打ちコンクリートブロック４４Ａを介して下床版１４に連結されている。また、ストラット４０Ｂの上端部は、場所打ちコンクリートブロック４２を介してプレキャストリブ２２に連結されており、その下端部は、下床版１４の本体部３２におけるリブ状突起部３２ａの上面に打設された場所打ちコンクリートブロック４４Ｂを介して下床版１４に連結されている。
【００３５】
図５は、波形鋼板ウェブ１６の上端部におけるプレキャストリブ２２の設置構造を示す要部斜視図である。
【００３６】
同図にも示すように、各波形鋼板ウェブ１６の上端部には、複数のプレキャストリブ２２を設置するための複数の切欠き部１６ａが橋軸方向に所定間隔をおいて形成されている。これら各切欠き部１６ａは、プレキャストリブ２２の断面形状に沿ってコの字状に形成されており、その底辺部には、プレキャストリブ２２を載置するためのプレート３６が溶接等により取り付けられている。そしてこれにより、プレキャストリブ２２は、各波形鋼板ウェブ１６の切欠き部１６ａに嵌め込まれるように挿入された状態でプレート３６上に載置されるようになっている。
【００３７】
以上詳述したように、本実施形態に係る波形鋼板ウェブ橋１０は、上床版１２と下床版１４とこれらを連結する左右１対の波形鋼板ウェブ１６とにより、橋軸方向に延びる箱桁部２０が形成された構成となっているが、その上床版１２は、橋軸直交方向に延びる複数のプレキャストリブ２２を橋軸方向に所定間隔をおいて配置するとともに、これら各プレキャストリブ２２相互間に複数のプレキャスト板２４を架け渡した状態で、これらプレキャスト板２４の上に場所打ちコンクリート２６を打設することにより形成されているので、複雑な型枠を用いることなく上床版１２の施工を行うことができ、これにより架設作業性向上を図ることができる。
【００３８】
その上で、本実施形態に係る波形鋼板ウェブ橋１０は、その箱桁部２０の内部空間における各プレキャストリブ２２を含む橋軸直交断面内に、上端部がプレキャストリブ２２に連結されるとともに下端部が下床版１４に連結された３本のストラット４０Ａ、４０Ｂが設けられているので、箱桁部２０の左右幅がある程度大きくなっても所要の強度を確保することができる。そしてこれにより、従来のように箱桁部の橋軸直交方向中央部に波形鋼板ウェブを追加配置するようにした場合に比して、主桁重量を大幅に軽減することができる。
【００３９】
このように本実施形態によれば、波形鋼板ウェブ橋１０において、上床版１２の幅員が大きくなった場合においても、主桁重量の増大を最小限に抑えた上で所要の強度を確保することができる。
【００４０】
特に本実施形態においては、３本のストラット４０Ａ、４０Ｂのうち２本のストラット４０Ａが、上端部が箱桁部２０における橋軸直交方向中央部においてプレキャストリブ２２に連結されるとともに、下端部が下床版１４における波形鋼板ウェブ１６との連結部近傍部位に連結されているので、各プレキャストリブ４０Ａを含む橋軸直交断面内にトラス構造を形成することができ、これにより所要の強度を容易に確保することができる。
【００４１】
その際、本実施形態においては、３本のストラット４０Ａ、４０Ｂのうち残り１本のストラット４０Ｂが、上端部が箱桁部２０の橋軸直交方向中央部においてプレキャストリブ２２に連結されるとともに、下端部が上記箱桁部２０の橋軸直交方向中央部において下床版１４に連結されているので、より一層の強度向上を図ることができる。
【００４２】
さらに本実施形態においては、下床版１４の本体部３２の上面における各プレキャストリブ２２を含む橋軸直交断面内に、橋軸直交方向に延びるリブ状突起部３２ａが形成されているので、各ストラット４０Ａ、４０Ｂに対する支持強度を十分に確保することができる。
【００４３】
また本実施形態においては、各波形鋼板ウェブ１６の上端部に、複数のプレキャストリブ２２を設置するための複数の切欠き部１６ａが形成されているので、各プレキャストリブ２２を左右１対の波形鋼板ウェブ１６に対してその切欠き部１６ａに挿入して設置することにより、これら各プレキャストリブ２２を位置決めした状態で、プレキャスト板２４の架け渡しおよびコンクリート打設を行うことができる。またこれにより、各波形鋼板ウェブ１６を上床版１２に対して埋め込み接合することができるので、従来のように各波形鋼板ウェブの上端部に鋼フランジを溶接固定しておく必要をなくすことができ、これにより各波形鋼板ウェブ１６を軽量化することができる。
【００４４】
しかも本実施形態においては、これら各切欠き部１６ａの底辺部に、プレキャストリブ２２を載置するためのプレート３６が取り付けられているので、各プレキャストリブ２２の設置を正確かつ安定的に行うことができる。
【００４５】
また本実施形態においては、各波形鋼板ウェブ１６の下端部に下床版１４の一部を構成するコンクリートフランジ部３４が埋め込み接合されているので、各波形鋼板ウェブ１６の下端部へのコンクリート打設を行う必要がなくなり、その型枠も不要となり、これにより各波形鋼板ウェブ１６と下床版１４との連結作業を簡素化することができる。
【００４６】
ところで、上記実施形態に係る波形鋼板ウェブ橋１０においては、その箱桁部２０が横長逆台形状の断面形状を有しているものとして説明したが、これ以外の例えば横長矩形状等の断面形状を有している場合においても、上記実施形態の構成を採用することにより上記実施形態と同様の作用効果を得ることができる。
【００４７】
また、上記実施形態においては、３本のストラット４０Ａ、４０Ｂがコンクリート製のプレキャストストラットであるものとして説明したが、これらを鋼材等で構成することも可能である。
【００４８】
なお、上記実施形態に係る波形鋼板ウェブ橋１０の諸元を示す値は、あくまでも例示的なものであり、これ以外の値に設定されていてもよいことはもちろんである。
【００４９】
次に、上記実施形態の変形例について説明する。
【００５０】
図６は、本変形例に係る波形鋼板ウェブ橋１１０を示す橋軸直交断面図である。
【００５１】
同図に示すように、この波形鋼板ウェブ橋１１０も、その基本的な構成は上記実施形態に係る波形鋼板ウェブ橋１０と同様であるが、その箱桁部１２０の左右幅が上記実施形態の箱桁部２０よりも大きい値（例えば上端部において１２ｍ程度の値）に設定されている点で上記実施形態の場合と異なっている。また、上記実施形態においては、各プレキャストリブ２２がその全長にわたって単一部材で構成されているのに対して、本変形例においては、各プレキャストリブ１２２が箱桁部１２０の橋軸直交方向中央部において２分割された構成となっている点でも上記実施形態の場合と異なっている。
【００５２】
これら各プレキャストリブ１２２を構成する１対のプレキャストリブ１２２Ａ、１２２Ｂは、その橋軸寄りの端面が互いに所定間隔をおいた状態で配置されており、両プレキャストリブ１２２Ａ、１２２Ｂ間のスペースには、場所打ちコンクリートブロック１４２が打設されている。そして、この場所打ちコンクリートブロック１４２に、３本のストラット４０Ａ、４０Ｂの上端部が連結されている。
【００５３】
本変形例においては、各プレキャストリブ１２２が箱桁部１２０の橋軸直交方向中央部において２本のプレキャストリブ１２２Ａ、１２２Ｂに分割されているので、その運搬等を容易に行うことができ、これにより架設作業性向上を図ることができる。
【００５４】
また本変形例においては、各プレキャストリブ１２２を構成する２本のプレキャストリブ１２２Ａ、１２２Ｂ間のスペースに場所打ちコンクリートブロック１４２が打設されており、この場所打ちコンクリートブロック１４２に３本のストラット４０Ａ、４０Ｂの上端部が連結されているので、各プレキャストリブ１２２が２分割されているにもかかわらずその支持を行うことができる。そしてこれにより、上床版１２の幅員が大きくなった場合においても、十分これに対応することができる。
【図面の簡単な説明】
【００５５】
【図１】本願発明の一実施形態に係る波形鋼板ウェブ橋を示す橋軸直交断面図
【図２】図１の部分拡大図
【図３】図２のIII-III 線断面図
【図４】上記波形鋼板ウェブ橋を構成する複数種類のプレキャスト部材を分解して示す図
【図５】上記波形鋼板ウェブ橋の波形鋼板ウェブの上端部におけるプレキャストリブの設置構造を示す要部斜視図
【図６】上記実施形態の変形例に係る波形鋼板ウェブ橋を示す橋軸直交断面図
【符号の説明】
【００５６】
１０、１１０  波形鋼板ウェブ橋
１２  上床版
１４  下床版
１６  波形鋼板ウェブ
１６ａ  切欠き部
２０、１２０  箱桁部
２２、１２２、１２２Ａ、１２２Ｂ  プレキャストリブ
２２ａ  リブ状突起部
２４  プレキャスト板
２６  場所打ちコンクリート
２６ａ  下方突出部
２６ｂ  定着用ブロック
３２  本体部
３２ａ  リブ状突起部
３４  コンクリートフランジ部
３６  プレート
４０Ａ、４０Ｂ  ストラット
４２、４４Ａ、４４Ｂ、１４２  場所打ちコンクリートブロック
５２  外ケーブル
【図１】
2006322182.tif 000003
【図２】
2006322182.tif 000004
【図３】
2006322182.tif 000005
【図４】
2006322182.tif 000006
【図５】
2006322182.tif 000007
【図６】
2006322182.tif 000008